(57)【要約】【課題】本発明はデータ管理装置及び方法に関し、ＳＭＴ（Ｓｕｒｆａｃｅ  Ｍｏｕｎｔｉｎｇ  Ｔｅｃｈｎｏｌｏｇｙ）装備で使用される作業データの修正履歴管理及び復元を行うデータ管理装置及び方法に関する。【解決手段】本発明の実施形態によるデータ管理装置は、ＳＭＴ（Ｓｕｒｆａｃｅ  Ｍｏｕｎｔｉｎｇ  Ｔｅｃｈｎｏｌｏｇｙ）ラインから基準作業ファイルに対する修正ファイルを受信する受信部と、前記受信された修正ファイルに対応するように前記基準作業ファイルを構成する少なくとも一つの作業データのうち該当する作業データを修正すると共に、前記修正ファイルを伝送した送信元が表示されるように前記基準作業ファイルを修正するデータ修正部を含むことを特徴とする。【選択図】図３
2016115915.tif 000002
【特許請求の範囲】
【請求項１】
ＳＭＴ（Ｓｕｒｆａｃｅ  Ｍｏｕｎｔｉｎｇ  Ｔｅｃｈｎｏｌｏｇｙ）装備で使用される作業データを含む基準作業ファイルが保存されたデータ管理装置において、
ＳＭＴラインから前記基準作業ファイルに対する修正ファイルを受信する受信部と、
前記受信された修正ファイルに対応するように前記基準作業ファイルを構成する少なくとも一つの作業データのうち該当する作業データを修正すると共に、前記修正ファイルを伝送した送信元が表示されるように前記基準作業ファイルを修正するデータ修正部を含むことを特徴とするデータ管理装置。
【請求項２】
前記データ修正部は、前記修正ファイルを伝送した装置または前記修正ファイルの送信元別に互いに異なる色相または形態に前記修正ファイルに対応する作業データを修正する請求項１に記載のデータ管理装置。
【請求項３】
前記修正ファイルを伝送した修正主体、項目、修正前の作業データ、現在の作業データ及び復元命令入力アイコンが含まれた修正情報インターフェースを生成するインターフェース生成部をさらに含む請求項１に記載のデータ管理装置。
【請求項４】
前記修正情報インターフェースにより前記復元命令入力アイコンが選択される場合、現在の作業データを修正前の作業データに復元するデータ復元部をさらに含む請求項３に記載のデータ管理装置。
【請求項５】
前記インターフェース生成部は、前記修正された基準作業ファイルに明示された部品レファレンス別に前記修正情報インターフェースを生成する請求項３に記載のデータ管理装置。
【請求項６】
前記修正ファイルを伝送した修正主体、修正された作業データ及び復元命令入力アイコンが含まれた修正情報インターフェースを生成するインターフェース生成部をさらに含む請求項１に記載のデータ管理装置。
【請求項７】
前記修正情報インターフェースにより前記復元命令入力アイコンが選択される場合、現在の作業データを前記修正された作業データのうち前記復元命令入力アイコンに対応する作業データに復元するデータ復元部をさらに含む請求項６に記載のデータ管理装置。
【請求項８】
前記インターフェース生成部は、前記修正された基準作業ファイルに明示された部品レファレンスの項目別に前記修正情報インターフェースを生成する請求項６に記載のデータ管理装置。
【請求項９】
前記修正ファイルを伝送した装置は、前記基準作業ファイルを生成した装置、前記ＳＭＴラインで表面実装作業を行う装置及びネットワークを介して前記基準作業ファイルにアクセスした別途の装置のうち少なくとも一つを含む請求項１に記載のデータ管理装置。
【請求項１０】
ＳＭＴ（Ｓｕｒｆａｃｅ  Ｍｏｕｎｔｉｎｇ  Ｔｅｃｈｎｏｌｏｇｙ）装備で使用される作業データを含む基準作業ファイルを管理する方法において、
ＳＭＴラインから前記基準作業ファイルに対する修正ファイルを受信する段階と、
前記受信された修正ファイルに対応するように前記基準作業ファイルを構成する少なくとも一つの作業データのうち該当する作業データを修正すると共に、前記修正ファイルを伝送した送信元が表示されるように前記基準作業ファイルを修正する段階を含むことを特徴とするデータ管理方法。
【請求項１１】
前記基準作業ファイルを修正する段階は、前記修正ファイルを伝送した装置または前記修正ファイルの送信元別に互いに異なる色相または形態に前記修正ファイルに対応する作業データを修正する段階を含む請求項１０に記載のデータ管理方法。
【請求項１２】
前記修正ファイルを伝送した修正主体、項目、修正前の作業データ、現在の作業データ及び復元命令入力アイコンが含まれた修正情報インターフェースを生成する段階をさらに含む請求項１０に記載のデータ管理方法。
【請求項１３】
前記修正情報インターフェースにより前記復元命令入力アイコンが選択される場合、現在の作業データを修正前の作業データに復元する段階をさらに含む請求項１２に記載のデータ管理方法。
【請求項１４】
前記修正情報インターフェースを生成する段階は、前記修正された基準作業ファイルに明示された部品レファレンス別に前記修正情報インターフェースを生成する段階を含む請求項１２に記載のデータ管理方法。
【請求項１５】
前記修正ファイルを伝送した修正主体、修正された作業データ及び復元命令入力アイコンが含まれた修正情報インターフェースを生成する段階をさらに含む請求項１０に記載のデータ管理方法。
【請求項１６】
前記修正情報インターフェースにより前記復元命令入力アイコンが選択される場合、現在の作業データを前記修正された作業データのうち前記復元命令入力アイコンに対応する作業データに復元する段階をさらに含む請求項１５に記載のデータ管理方法。
【請求項１７】
前記修正情報インターフェースを生成する段階は、前記修正された基準作業ファイルに明示された部品レファレンスの項目別に前記修正情報インターフェースを生成する段階を含む請求項１５に記載のデータ管理方法。
【請求項１８】
前記修正ファイルを伝送した装置は、前記基準作業ファイルを生成した装置、前記ＳＭＴラインで表面実装作業を行う装置及びネットワークを介して前記基準作業ファイルにアクセスした別途の装置のうち少なくとも一つを含む請求項１０に記載のデータ管理方法。
【発明の詳細な説明】
【技術分野】
【０００１】
本発明はデータ管理装置及び方法に関し、より層詳細にはＳＭＴ（Ｓｕｒｆａｃｅ  Ｍｏｕｎｔｉｎｇ  Ｔｅｃｈｎｏｌｏｇｙ）装備で使用される作業データの修正履歴管理及び復元を行うデータ管理装置及び方法に関する。
【背景技術】
【０００２】
表面実装機術（Ｓｕｒｆａｃｅ  Ｍｏｕｎｔｉｎｇ  Ｔｅｃｈｎｏｌｏｇｙ、ＳＭＴ）は、印刷回路基板（Ｐｒｉｎｔｅｄ  Ｃｉｒｃｕｉｔ  Ｂｏａｒｄ、ＰＣＢ）の表面に直接実装できる部品を電子回路に付着する技術を総称する。
【０００３】
具体的には、ＳＭＴ工程は印刷回路基板（ＰＣＢ）上にソルダーペーストを印刷し、マウンタ装備を利用して印刷回路基板上に各種表面実装部品（Ｓｕｒｆａｃｅ  Ｍｏｕｎｔｉｎｇ  Ｄｅｖｉｃｅ、ＳＭＤ）を装着した後、リフローオーブンを通過させてＰＣＢと表面装着部品のリード間を接合する技術をいう。
【０００４】
このようなＳＭＴラインは複数の装備の有機的な組合せによって完成されたＰＣＢを生産する技術と言えるが、作業環境に応じて複数の装備を含む少なくとも一つ以上のＳＭＴラインを備えることができる。
【０００５】
通常、ＳＭＴラインでユーザはオフラインプログラムであるＯＬＰにより作業データを生成する。運営ソリューションプログラムであるＯＬＰは出願人のＳＭＴラインの運営のためのＣＡＤ基盤の統合プログラミングソフトウェアである。
【０００６】
図１は、従来の作業データを生成するためのＣＡＤデータの生成を示す順序図である。
【０００７】
図１を参照すると、ＣＡＤデータを修正して作業データを生成するため、ＣＡＤプログラムを実行し（Ｓ１０）、データファイルを開いてＣＡＤファイルを生成し（Ｓ２０）、所望するデータ（例えば部品の角度値など）を追加／修正した後（Ｓ３０）、データ保を存する（Ｓ４０）。
【０００８】
このように、作業データに含まれたデータの修正はオフラインプログラムにより修正され得、表面実装部品を装着するＳＭＴ装備のプログラムによっても行われ得る。
【０００９】
言い換えると、複数の装備によって作業データが修正され得るものであり、これによって最初に生成された一つの作業データが互いに異なるデータを有する複数の修正データとして存在するようになる。
【００１０】
このような修正データは修正された部分の確認が難しく、ＳＭＴ装備による作業を行うことにおいて問題が生じ得る。
【００１１】
したがって、作業データの修正履歴を容易に確認できる発明が要求されている。
【発明の概要】
【発明が解決しようとする課題】
【００１２】
本発明は、ＳＭＴ（Ｓｕｒｆａｃｅ  Ｍｏｕｎｔｉｎｇ  Ｔｅｃｈｎｏｌｏｇｙ）装備で使用される作業データの修正履歴管理及び復元を行うことにその目的がある。
【００１３】
本発明の目的は、以上で言及した目的に制限されず、言及されていないまた他の目的は次の記載から当業者に明確に理解できるであろう。
【課題を解決するための手段】
【００１４】
前記の目的を達成するため、本発明の実施形態によるデータ管理装置は、ＳＭＴ（Ｓｕｒｆａｃｅ  Ｍｏｕｎｔｉｎｇ  Ｔｅｃｈｎｏｌｏｇｙ）ラインから基準作業ファイルに対する修正ファイルを受信する受信部と、前記受信された修正ファイルに対応するように前記基準作業ファイルを構成する少なくとも一つの作業データのうち該当する作業データを修正すると共に、前記修正ファイルを伝送した送信元が表示されるように前記基準作業ファイルを修正するデータ修正部を含むことを特徴とする。
【００１５】
本発明の実施形態によるデータ管理方法は、ＳＭＴ（Ｓｕｒｆａｃｅ  Ｍｏｕｎｔｉｎｇ  Ｔｅｃｈｎｏｌｏｇｙ）ラインから基準作業ファイルに対する修正ファイルを受信する段階と、前記受信された修正ファイルに対応するように前記基準作業ファイルを構成する少なくとも一つの作業データのうち該当する作業データを修正すると共に、前記修正ファイルを伝送した送信元が表示されるように前記基準作業ファイルを修正する段階を含むことを特徴とする。
【００１６】
その他実施形態の具体的な内容は詳細な説明及び図面に含まれている。
【発明の効果】
【００１７】
前記本発明のデータ管理装置及び方法によれば、ＳＭＴ（Ｓｕｒｆａｃｅ  Ｍｏｕｎｔｉｎｇ  Ｔｅｃｈｎｏｌｏｇｙ）装備で使用される作業データの修正履歴管理及び復元を行うことによって、ユーザがより容易に作業データの修正履歴を確認して復元できるようにするという長所がある。
【図面の簡単な説明】
【００１８】
【図１】従来の作業データを生成するためのＣＡＤデータの生成を示す順序図である。
【図２】本発明の実施形態によるデータ管理システムを示す図である。
【図３】本発明の実施形態によるデータ管理装置を示すブロック図である。
【図４】本発明の実施形態によるデータ管理部の細部構成を示す図である。
【図５】本発明の実施形態による作業インターフェースを示す図である。
【図６】本発明の実施形態による作業テーブルを示す図である。
【図７】本発明の実施形態による第１修正情報インターフェースを示す図である。
【図８】本発明の実施形態による第１修正情報インターフェースを示す図である。
【図９】本発明の実施形態による第１修正情報インターフェースを示す図である。
【図１０】本発明の実施形態による作業データの復元を示す図である。
【図１１】本発明の実施形態による第２修正情報インターフェースを示す図である。
【発明を実施するための形態】
【００１９】
以下、添付する図面を参照して本発明の好ましい実施形態について詳細に説明する。本発明の利点及び特徴、これらを達成する方法は添付する図面と共に詳細に後述する実施例を参照すると明確になるであろう。しかし、本発明は、以下で開示する実施例に限定されるものではなく、互いに異なる多様な形態で実現されるものであり、本実施例は、単に本発明の開示を完全にし、本発明が属する技術分野で通常の知識を有する者に発明の範疇を完全に知らせるために提供されるものであり、本発明は、請求項の範囲によってのみ定義される。明細書全体にかけて同一参照符号は同一構成要素を指称する。
【００２０】
他に定義されなければ、本明細書で使用されるすべての用語（技術及び科学的用語を含む）は、本発明が属する技術分野で通常の知識を有する者に共通に理解できる意味で使用される。また一般的に使用される辞書に定義されている用語は特別に定義して明らかにしない限り理想的にまたは過度に解釈されない。
【００２１】
図２は、本発明の実施形態によるデータ管理システムを示す図である。データ管理システム２００は、作業ファイル生成装置２１０、管理サーバ２２０、作業ファイル分配装置２３０及びＳＭＴ（Ｓｕｒｆａｃｅ  Ｍｏｕｎｔｉｎｇ  Ｔｅｃｈｎｏｌｏｇｙ）装備（２４１、２４２、２４３、２４４）を含んで構成される。
【００２２】
作業ファイル生成装置２１０はＳＭＴラインのＳＭＴ装備（２４１、２４２、２４３、２４４）で使用される作業ファイルを生成する役割を果たす。
【００２３】
ＳＭＴ工程はマウンタ装備を利用して印刷回路基板（Ｐｒｉｎｔｅｄ  Ｃｉｒｃｕｉｔ  Ｂｏａｒｄ、ＰＣＢ）上に各種表面実装部品（Ｓｕｒｆａｃｅ  Ｍｏｕｎｔｉｎｇ  Ｄｅｖｉｃｅ、ＳＭＤ）を装着することを含むが、本発明で作業ファイルは表面実装部品の装着に必要なＣＡＤデータまたはＢＯＭ（Ｂｉｌｌ  Ｏｆ  Ｍａｔｅｒｉａｌ）データのような装着シークエンスデータが含まれているものと理解することができる。
【００２４】
例えば、作業ファイルには部品レファレンス、Ｘ値、Ｙ値、Ｚ値、Ｒ値、部品名、フィーダ（ｆｅｅｄｅｒ）、ノズル（ｎｏｚｚｌｅ）、ヘッダー番号、スキップ（ｓｋｉｐ）情報及び優先順位（ｌｅｖｅｌ）などのような作業データが含まれ得る。
【００２５】
作業ファイル生成装置２１０による作業ファイルの生成においてオフラインプログラム（Ｏｆｆ−Ｌｉｎｅ  Ｐｒｏｇｒａｍ、ＯＬＰ）が利用され得るが、本発明がこれに限定されない。
【００２６】
管理サーバ２２０は作業ファイル生成装置２１０によって生成された作業ファイルを保存して配布する役割を果たす。
【００２７】
図２は、一つの作業ファイル生成装置２１０及び一つの作業ファイル分配装置２３０を示しているが、複数の作業ファイル生成装置２１０によって生成された作業ファイルが管理サーバ２２０によって管理され、保存された作業ファイルが複数の作業ファイル分配装置に提供され得る。
【００２８】
または、複数の管理サーバによって作業ファイルが管理され、適切な作業ファイルが作業ファイル分配装置２３０に供給されることもできる。
【００２９】
作業ファイル分配装置２３０は管理サーバ２２０から提供された作業ファイルを各ＳＭＴ装備（２４１、２４２、２４３、２４４）に送信する役割を果たす。
【００３０】
作業ファイルを分配することにおいて、作業ファイル分配装置２３０はすべてのＳＭＴ装備（２４１、２４２、２４３、２４４）に同じ作業ファイルを分配し得、選別的に作業ファイルを分配することもできる。例えば、管理サーバ２２０から提供された作業ファイル１（図示せず）はＳＭＴ装備１（２４１）及びＳＭＴ装備３（２４３）に分配し、管理サーバ２２０から提供された作業ファイル２（図示せず）はＳＭＴ装備２（２４２）に分配し、ＳＭＴ装備４（２４４）には作業ファイルを分配しないこともできる。
【００３１】
ＳＭＴ装備（２４１、２４２、２４３、２４４）は作業ファイル分配装置２３０から受信した作業ファイルを利用してＳＭＴ工程作業を行う。本発明でＳＭＴ装備（２４１、２４２、２４３、２４４）は同じ時点に同じ作業ファイルを受信することによって一律的にＳＭＴ工程作業を行うことができ、互いに異なる時点にまたは互いに異なる作業ファイルを受信することによって個別のＳＭＴ工程作業を行うこともできる。
【００３２】
一方、作業ファイルは各装置によって修正される。例えば、ユーザは作業ファイル生成装置２１０を利用して生成された作業ファイルを修正したり、管理サーバ２２０を利用して作業ファイルを修正したり、作業ファイル分配装置２３０を利用して作業ファイルを修正したり、ＳＭＴ装備（２４１、２４２、２４３、２４４）を利用して作業ファイルを修正することができる。
【００３３】
また、各装置（２１０、２２０、２３０、２４１〜２４４）は作業ファイルを修正できる一つ以上のプログラムを含み得るが、以下作業ファイルを修正する各装置または各プログラムを修正主体という。
【００３４】
このように、複数の修正主体によって作業ファイルが修正される場合、最初に生成された作業ファイルに対する互いに異なる修正ファイルが存在するが、このような混乱を防止するため、本発明の実施形態によるデータ管理システム２００は修正された作業ファイルを管理する別途のデータ管理装置３００を含み得る。
【００３５】
特定修正主体によって修正ファイルが伝送された場合、これはデータ管理装置３００に伝達されるが、データ管理装置３００は受信された修正ファイルに応じて作業ファイルを修正することができ、ユーザの復元命令に応じて修正された作業ファイルを元通りに復元することもできる。したがって、修正または復元された作業ファイルは管理サーバ２２０に伝達され、結局作業ファイル生成装置２１０によって生成された作業ファイルに対して累積した修正事項を反映した一つの基準作業ファイルのみが存在するようになる。
【００３６】
本発明でデータ管理装置３００は、作業ファイル生成装置２１０、管理サーバ２２０、作業ファイル分配装置２３０及びＳＭＴ装備（２４１、２４２、２４３、２４４）のうち一つに含まれて構成され得、別途の装置としても実現され得る。
【００３７】
図３は、本発明の実施形態によるデータ管理装置を示すブロック図である。データ管理装置３００は、受信部３１０、保存部３２０、制御部３３０、データ管理部３４０及びインターフェース生成部３５０を含んで構成される。
【００３８】
受信部３１０はＳＭＴラインから基準作業ファイルに対する修正ファイルを受信する役割を果たす。本発明で修正ファイルは基準作業ファイルを構成する作業データを修正するようにする情報が含まれているファイルを意味する。
【００３９】
一つの修正ファイルを受信することによって対応する一つの作業データが修正され得、または対応する複数の作業データが修正され得る。以下では一つの修正ファイルによって一つの作業データが修正される場合を中心に説明する。
【００４０】
また、受信部３１０は基準作業ファイルの復元命令を受信する役割を果たす。本発明で基準作業ファイルの復元命令は基準作業ファイルを構成する作業データのうち修正された作業データを元通りにまたは以前に修正された特定値に復元させる命令を意味する。
【００４１】
一つの復元命令を受信することによって対応する一つの作業データが復元され得、または対応する複数の作業データが復元され得る。以下では一つの復元命令によって一つの作業データが復元されることを中心に説明する。
【００４２】
基準作業ファイルに対する修正ファイルまたは復元命令は、データ管理装置３００を介して直接入力されたり他の装置から受信され得るが、本発明の実施形態による受信部３１０は修正ファイルまたは復元命令を直接入力される入力部３１１及び他の装置から受信する通信部３１２を含んで構成され得る。
【００４３】
入力部３１１は、ボタン、ホイール(wheel)、ジョグシャトルなどを備えてユーザから命令を入力される。また、データ管理装置３００にディスプレイ部（図示せず）が備えられており、ディスプレイ部がタッチスクリーン機能を提供する場合、ディスプレイ部が入力部３１１の役割を果たす場合もある。
【００４４】
ここで、入力部３１１は、入力部自体が一つの装置であり得るが、例えば、無線リモコンが入力部３１１の役割を行うことができる。すなわち、無線リモコンに備えられるボタン及びホイールなどを利用してユーザは命令を入力することができ、無線リモコンに慣性センサが備えられている場合、ユーザは無線リモコンに動きを加えて該当動きの軌跡に対応する命令を入力することもできる。
【００４５】
通信部３１２は、有線または無線通信方式により他の装置と通信できる。通信部３１２はイーサネット（登録商標）（Ｅｔｈｅｒｎｅｔ（登録商標））、公衆交換電話網（ＰＳＴＮ、Ｐｕｂｌｉｃ  Ｓｗｉｔｃｈｅｄ  Ｔｅｌｅｐｈｏｎｅ  Ｎｅｔｗｏｒｋ）、移動通信網、無線ＲＡＮ（Ｗｉｒｅｌｅｓｓ  ＬＡＮ）、ブルートゥース（Ｂｌｕｅｔｏｏｔｈ（登録商標））、Ｗｉ−Ｆｉ（Ｗｉｒｅｌｅｓｓ  Ｆｉｄｅｌｉｔｙ）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、またはＷｉＢｒｏ（Ｗｉｒｅｌｅｓｓ  Ｂｒｏａｄｂａｎｄ）などの通信方式で他の装置と通信することができる。
【００４６】
データ管理部３４０は受信部３１０を介して受信された修正ファイルまたは復元命令に応じて基準作業ファイルを修正したり復元したりする役割を果たす。このため、データ管理部３４０はデータ修正部３４１及びデータ復元部３４２を含んで構成される。図４はこれを示している。
【００４７】
データ修正部３４１は、受信された修正ファイルに対応するように基準作業ファイルを構成する少なくとも一つの作業データのうち該当する作業データを修正すると共に、修正ファイルを伝送した送信元が表示されるように基準作業ファイルを修正する役割を果たす。
【００４８】
例えば、ユーザがＳＭＴ装備１２４１を利用して特定部品レファレンスのＹ値を６４．０００から６３．９７０に修正できるが、このようなことを内容とする修正ファイルを伝達された場合、データ修正部３４１は基準作業ファイルに含まれた作業データのうち該当部品レファレンスのＹ値を６４．０００から６３．９７０に修正し、このような修正ファイルを伝送した装置がＳＭＴ装備１（２４１）であることを反映するように基準作業ファイルを修正する。
【００４９】
本発明で修正ファイルを伝送した装置は、作業ファイル生成装置２１０、ＳＭＴラインで表面実装作業を行うＳＭＴ装備（２４１、２４２、２４３、２４４）及びネットワーク（図示せず）を介して基準作業ファイルにアクセスした別途の装置のうち少なくとも一つを含み得る。
【００５０】
修正ファイルを伝送した修正主体を表示するため、データ修正部３４１は修正ファイルを伝送した装置または修正ファイルの送信元別に互いに異なる色相または形態に修正ファイルに対応する作業データを修正できる。
【００５１】
例えば、データ修正部３４１は作業ファイル生成装置２１０が修正ファイルを伝送した場合、青色に作業データを修正し、ＳＭＴ装備（２４１、２４２、２４３、２４４）が修正ファイルを伝送した場合、赤色に作業データを修正することができ、ＳＭＴ装備（２４１、２４２、２４３、２４４）が複数個の場合、各ＳＭＴ装備別に互いに異なる色相に作業データを修正することもできる。
【００５２】
また、基準作業ファイルは複数のセルで構成されたテーブルの形態で実現され得るが、データ修正部３４１は修正ファイルを伝送した装置または送信元に対応する色相に修正された作業データが明示されたセルを表示することもできる。
【００５３】
データ復元部３４２は修正された作業データを復元させる役割を果たす。受信部３１０を介して復元命令が受信されるが、データ復元部３４２は復元命令に対応して作業データを復元する。
【００５４】
本発明で作業データは一回または数回修正され得るが、これにデータ復元部３４２は修正された作業データを元通りに復元させたり、または以前に修正された特定値に復元させることができる。ここで、元通りへの復元は作業ファイル生成装置２１０によって生成された時点での作業データに復元することを意味する。
【００５５】
再び図３を説明すると、インターフェース生成部３５０は修正ファイルに応じて修正された情報が反映された修正情報インターフェースを生成する役割を果たす。
【００５６】
修正情報インターフェースは特定部品レファレンスの各項目に対する修正データを含む第１修正情報インターフェース、および特定部品レファレンスの特定項目に対する修正履歴を含む第２修正情報インターフェースを含む。
【００５７】
本発明の実施形態によるインターフェース生成部３５０は、修正された基準作業ファイルに明示された部品レファレンス別に第１修正情報インターフェースを生成したり、基準作業ファイルに明示された部品レファレンスの項目別に第２修正情報インターフェースを生成することができる。
【００５８】
第１修正情報インターフェースには修正ファイルを伝送した修正主体、項目、修正前の作業データ、現在の作業データ及び復元命令入力アイコンが含まれる。ここで、項目はＸ値、Ｙ値、Ｚ値、Ｒ値、部品名、フィーダ（ｆｅｅｄｅｒ）、ノズル（ｎｏｚｚｌｅ）、ヘッダー番号、スキップ（ｓｋｉｐ）情報及び優先順位（level）などを含み得る。
【００５９】
また、第２修正情報インターフェースには修正ファイルを伝送した修正主体、修正された作業データ及び復元命令入力アイコンが含まれる。
【００６０】
第１修正情報インターフェース及び第２修正情報インターフェースに関する詳しい説明は図７〜図９、および図１１を参照して後述する。
【００６１】
また、インターフェース生成部３５０はユーザが作業データを確認し、これを修正できるようにする作業インターフェースを生成できるが、作業インターフェースに関する詳しい説明は図５を参照して後述する。
【００６２】
保存部３２０は、基準作業ファイルまたは修正された基準作業ファイルを保存する役割を果たす。また、保存部３２０は受信された修正ファイルまたは復元命令による各作業データの修正履歴を保存できるが、データ復元部３４２は保存部３２０に保存された修正履歴を参照して作業データを元通りに復元したり特定値に復元することができる。
【００６３】
制御部３３０は、受信部３１０、保存部３２０、データ管理部３４０及びインターフェース生成部３５０に対する全般の制御を行う。
【００６４】
また、図３には示していないが、本発明の実施形態によるデータ管理装置３００は、インターフェース生成部３５０によって生成された多様なインターフェースを表示するディスプレイ部（図示せず）を含み得、データ管理装置３００にディスプレイ部が含まれていない場合、モニターのようなディスプレイ手段によりインターフェースが表示され得る。
【００６５】
図５は、本発明の実施形態による作業インターフェースを示す図である。本発明で作業インターフェース５００は、ユーザが作業データを確認できるようにし、特定作業データを修正したり復元できるようにするためのグラフィックユーザーインターフェース（Ｇｒａｐｈｉｃ  Ｕｓｅｒ  Ｉｎｔｅｒｆａｃｅ、ＧＵＩ）を意味する。
【００６６】
作業インターフェース５００は部品配置図５１０及び作業テーブル５２０を含んで構成される。部品配置図５１０は作業ファイルを構成する作業データに基づいて配置された各種部品を表示する。部品配置図５１０は実際部品のサイズ及び部品間の間隔に対応する割合で部品を示すため、ユーザはこれによりユーザが修正または復元しようとする部品を確認できる。
【００６７】
作業テーブル５２０は作業ファイルを構成する作業データを表示する。部品配置図５１０と作業テーブル５２０は相互連動して動作するが、例えば、部品配置図５１０の特定部品を選択した場合、該当部品に対応する作業テーブル５２０の該当領域がハイライトされ得、作業テーブル５２０の特定作業データを選択した場合、対応する部品が部品配置図５１０上でハイライトされ得る。
【００６８】
このように、作業テーブル５２０に表示された作業データは部品配置図５１０に表示された部品に関するものであるが、本発明の作業インターフェース５００はこれに限定されない。
【００６９】
図６は、本発明の実施形態による作業テーブルを示す図である。ユーザによって修正された作業データが他の作業データに比べて異なるように表示された作業テーブル６００を示す図である。
【００７０】
図面に示すように、部品レファレンスＣＮ５０１＿ＵＢＡのＲ項目、部品レファレンスＣＮ４０５のＲ項目、部品レファレンスＩＣ８のＹ項目、部品レファレンスＩＣ６０１のＸ、Ｙ項目が他の作業データに比べて太字に表示することにより、ユーザがこれによりどの作業データが修正されたかを確認できる。
【００７１】
特に、作業データを修正した修正主体に対応して修正された作業データの色相が異なる場合があるが、例えば作業ファイル生成装置２１０によって修正された作業データは青色で表示され、ＳＭＴ装備（２４１、２４２、２４３、２４４）によって修正された作業データは赤色で表示される。
【００７２】
図７から図９は、本発明の実施形態による第１修正情報インターフェースを示す図である。
【００７３】
第１修正情報インターフェース（７００、８００、９００）は特定作業データの修正状況を表示するインターフェースとして、例えば作業テーブルの作業データのうち修正された作業データが選択された場合、該当作業データの修正状況を示している第１修正情報インターフェース（７００、８００、９００）が画面に表示される。
【００７４】
第１修正情報インターフェース（７００、８００、９００）は作業テーブルとは別途のウィンドウ（例えば、ポップアップウィンドウ）で表示されるが、これに限定されない。
【００７５】
前述したように、第１修正情報インターフェース（７００、８００、９００）は特定部品レファレンスの各項目に対する修正データを含むインターフェースとして、修正主体フィールド（７１０、８１０、９１０）、項目フィールド（７２０、８２０、９２０）、以前データフィールド（７３０、８３０、９３０）、現在データフィールド（７４０、８４０、９４０）及び復元フィールド（７５０、８５０、９５０）を含んで構成される。
【００７６】
修正主体フィールド（７１０、８１０、９１０）には修正ファイルを伝送した修正主体が表示され、項目フィールド（７２０、８２０、９２０）には修正対象である項目が表示され、以前データフィールド（７３０、８３０、９３０）には該当項目の移転作業データが表示され、現在データフィールド（７４０、８４０、９４０）には該当項目に対して修正された作業データが表示され、復元フィールド（７５０、８５０、９５０）には復元命令入力アイコン（７５１、８５１、９５１、９５２、９５３、９５４）が表示される。
【００７７】
また、第１修正情報インターフェース（７００、８００、９００）には該当部品レファレンス（７６０、８６０、９６０）が表示される。
【００７８】
結局、図７に示す第１修正情報インターフェース７００を介してユーザは部品レファレンスＩＣ８のＹ項目の作業データがＳＭＴ装備（２４１、２４２、２４３、２４４）のプログラムのＭＭＩによって修正され、その値が６４．０００から６３．９７０に修正されたことが確認できる。
【００７９】
また、図８に示す第１修正情報インターフェース８００によりユーザは部品レファレンスＣＮ４０５のＲ項目の作業データが作業ファイル生成装置２１０のプログラムのＯＬＰによって修正され、その値が９０．０００から０．０００に修正されたことが確認できる。
【００８０】
第１修正情報インターフェース（７００、８００、９００）には復元命令入力アイコン（７５１、８５１、９５１〜９５４）が含まれているが、これにより、ユーザは作業データを復元させ得る。
【００８１】
すなわち、図７の第１修正情報インターフェース７００によりユーザが復元命令入力アイコン７５１を選択する場合、該当項目の作業データが６３．９７０から６４．０００に復元され、図８の第１修正情報インターフェース８００によりユーザが復元命令入力アイコン８５１を選択する場合、該当項目の作業データが０．０００から９０．０００に復元される。
【００８２】
作業データの復元はデータ復元部３４２によって行われるが、第１修正情報インターフェース（７００、８００、９００）により復元命令入力アイコン（７５１、８５１、９５１〜９５４）が選択される場合、データ復元部３４２は現在の作業データを修正前作業データに復元する。
【００８３】
図１０は、図７の第１修正情報インターフェース７００により該当項目の作業データが６３．９７０から６４．０００に復元されることを示している。復元命令入力アイコン７５１を選択すると、図１０に示すように作業データが復元される共に、第１修正情報インターフェース（７００、８００、９００）は画面から消える。
【００８４】
作業データが復元される場合、該当復元情報が作業テーブル及び第１修正情報インターフェース（７００、８００、９００）に反映される。
【００８５】
図７及び図８は、一つの項目に対する作業データが表示された第１修正情報インターフェース（７００、８００）を示しているが、図９に示すように複数の項目に対する作業データが第１修正情報インターフェース９００に表示され得る。
【００８６】
図９は、複数の項目に対する作業データの修正状況を含んでいる第１修正情報インターフェースを示す図である。
【００８７】
図９に図示された第１修正情報インターフェース９００によりユーザは各項目別作業データの修正状況を確認することができ、各項目別に復元を行うこともできる。
【００８８】
図１１は、本発明の実施形態による第２修正情報インターフェースを示す図である。
【００８９】
第２修正情報インターフェース１１００は、特定部品レファレンスの特定項目に対する修正履歴を表示するインターフェースとして、例えば、作業テーブルの作業データのうち修正された作業データが選択された場合、該当作業データの修正履歴を明示している第２修正情報インターフェース１１００が画面に表示される。
【００９０】
第２修正情報インターフェース１１００は、作業テーブルとは別のウィンドウ（例えば、ポップアップウィンドウ）で表示されるが、これに限定されない。
【００９１】
前述したように、第２修正情報インターフェース１１００は特定部品レファレンスの特定項目に対する修正履歴を含むインターフェースとして、修正主体フィールド１１１０、修正日時フィールド１１２０、データフィールド１１３０及び復元フィールド１１４０を含んで構成される。
【００９２】
修正主体フィールド１１１０には修正ファイルを伝送した修正主体が表示され、修正日時フィールド１１２０には作業データが修正された日及び時間が表示され、データフィールド１１３０には作業データの修正履歴が表示され、復元フィールド１１４０には復元命令入力アイコン（１１４１、１１４２、１１４３、１１４４、１１４５、１１４６）が表示される。
【００９３】
また、第２修正情報インターフェース１１００には該当部品レファレンス１１６０及び項目１１５０が表示される。
【００９４】
結局、図１１に示す第２修正情報インターフェース１１００によりユーザは部品レファレンスＣＮ２１０２のＸ項目の作業データが作業ファイル生成装置２１０のプログラム及びＳＭＴ装備（２４１、２４２、２４３、２４４）のプログラムによって修正され、その値が４．６８９  →  ４．４８０  →  ４．５２０  →  ４．７７９  →  ４．６８９  →  ４．５００の時間順に修正されたことが確認できる。
【００９５】
ここで、最後行にある４．５００が現在の作業データに値するが、ユーザは修正履歴のうち一つを選択することによって選択された値に作業データを復元させ得る。
【００９６】
作業データの復元はデータ復元部３４２によって行われるが、データ復元部３４２は第２修正情報インターフェース１１００により復元命令入力アイコン（１１４１〜１１４６）が選択される場合、現在の作業データを修正された作業データのうち復元命令入力アイコン（１１４１〜１１４６）に対応する作業データに復元する。
【００９７】
例えば、ユーザが二番目の復元命令履歴アイコン１１４２を選択する場合、データ復元部３４２は作業データを４．５００から４．４８０に復元する。
【００９８】
作業データが復元される場合、該当復元履歴が作業テーブル及び第２修正情報インターフェース１１００に反映される。
【００９９】
以上、添付する図面を参照して本発明の実施形態について説明したが、本発明が属する技術分野で通常の知識を有する者は本発明がその技術的思想や必須の特徴を変更しない範囲で他の具体的な形態で実施され得ることを理解することができる。したがって、上記実施形態はすべての面で例示的なものであり、限定的なものではないと理解しなければならない。
【符号の説明】
【０１００】
３１０    受信部
３２０    保存部
３３０    制御部
３４０    データ管理部
３５０    インターフェース生成部
【図１】
2016115915.tif 000003
【図３】
2016115915.tif 000004
【図４】
2016115915.tif 000005
【図５】
2016115915.tif 000006
【図６】
2016115915.tif 000007
【図７】
2016115915.tif 000008
【図８】
2016115915.tif 000009
【図９】
2016115915.tif 000010
【図１０】
2016115915.tif 000011
【図１１】
2016115915.tif 000012
【図２】
2016115915.tif 000013